(57)【要約】    【課題】  本発明は、筒状の丸編地のままで、表側覆い部と裏側覆い部との色彩を変更したり、また、種々の柄模様を形成したり、さらに風合いを変えたりすることができ、表裏でクッション性の異なるマットレスに装着した場合に、使用しているマットレスの表裏が判別できるマットレス用カバーを提供することを目的とする。    【解決手段】  本発明に係るマットレス用カバーは、表側と裏側とでクッション性が異なるマットレスＢの表側を覆う表側覆い部１０と、該マットレスＢの裏側を覆う裏側覆い部２０とを有するマットレス全体を覆うためのカバーであって、該カバーは、上下が開放した無縫製の筒状丸編地にて作成され、該筒状丸編地は、色彩を異にする複数の糸を周回させて編成し、表側覆い部の外面１０ａに現出する糸と異なる色彩の糸を裏側覆い部の外面２０ａに現出するように編成したことにより、表側覆い部外面１０ａの色彩と裏側覆い部外面２０ａの色彩とが異なるように構成したものである。    【選択図】        図１
2007044170.tif 000002
【特許請求の範囲】
【請求項１】
表側と裏側とでクッション性が異なるマットレスの表側を覆う表側覆い部と、該マットレスの裏側を覆う裏側覆い部とを有するマットレス全体を覆うためのカバーであって、
該カバーは、上下が開放した無縫製の筒状丸編地にて作成され、
該筒状丸編地は、色彩を異にする複数の糸を周回させて編成し、表側覆い部の外面に現出する糸と異なる色彩の糸を裏側覆い部の外面に現出するように編成したことにより、表側覆い部外面の色彩と裏側覆い部外面の色彩とが異なるように構成したことを特徴とするマットレス用カバー。
【請求項２】
表側と裏側とでクッション性が異なるマットレスの表側を覆う表側覆い部と、該マットレスの裏側を覆う裏側覆い部とを有するマットレス全体を覆うためのカバーであって、
該カバーは、上下が開放した無縫製の筒状丸編地にて作成され、
該筒状丸編地は、色彩を異にする複数の糸を周回させて編成し、表側覆い部の外面に現出する糸の一部を当該外面に現出していない他の色彩の糸に配置変更するように編成したことにより、表側覆い部外面の模様と裏側覆い部外面の模様とが異なるように構成したことを特徴とするマットレス用カバー。
【請求項３】
表側と裏側とでクッション性が異なるマットレスの表側を覆う表側覆い部と、該マットレスの裏側を覆う裏側覆い部とを有するマットレス全体を覆うためのカバーであって、
該カバーは、上下が開放した無縫製の筒状丸編地にて作成され、
該筒状丸編地は、表側覆い部外面と裏側覆い部外面とを異なる編組織にて編成したことにより、表側覆い部外面の風合いと裏側覆い部外面の風合いとが異なるように構成したことを特徴とするマットレス用カバー。
【発明の詳細な説明】
【技術分野】
【０００１】
本発明は、マットレス用カバーに関し、特に、マットレスの表側を覆う表側覆い部の外面とマットレスの裏側を覆う裏側覆い部の外面との色彩を変更したり、各外面において異なる模様を部分的に付加したり、さらに各外面における風合いを変えたマットレス用カバーに関する。
【背景技術】
【０００２】
伸縮性に優れている丸編地がマットレス用カバーとして適切であるにも拘わらず、従来より使用されているマットレス用カバーは、そのほとんどが伸縮性を有さない織地で形成され、丸編地が使用されることは少ないのが現状である。その理由は、丸編地が全周にわたって同一の編組織で筒状に編成されるため、筒状のままでカバーを製造すると、マットレスの表側を覆う表側覆い部の外面とマットレスの裏側を覆う裏側覆い部の外面との色彩や模様を変えたり、風合いを変えたりすることはできず、雅趣や質感に乏しいものにならざるを得ないことによる。また、筒状のままでなくてもよいとすれば、マットレスの表側を覆う表側覆い部の外面とマットレスの裏側を覆う裏側覆い部の外面との色彩や模様を変えたり、風合いを変えたマットレス用カバーを得ることは可能であるが、そのためには、色彩、模様又は風合いが異なる丸編地を各別に編成し、それぞれを裁断、縫製により組み合わせてマットレス用カバーを製造しなければならず、コスト及び手間を要するものであった。しかも、裁断した編地の切り端における糸のほつれを防止し、かつ、切断した編地の端部同士を確実に連結するためには、その連結箇所においてオーバーロック縫製を施さなければならず、オーバーロック縫製をすると連結箇所おいては伸縮性がなくなるため、伸縮性を有するという編地の最大の利点を減少させるため、これらの欠点が相俟って、カバーの布地としての丸編地のが敬遠されていた。
【０００３】
今日において、例えば医療用のマットレスとして表側と裏側とでクッション性の異なるものが使用されているが、表裏が同一のマットレス用カバーを装着すると、施療者が使用しているマットレスが表側を上にしているのか、裏側を上にしているのかを一見しただけでは判断ができず、触感で確認しなければ判断ができない不都合がある。
【発明の開示】
【発明が解決しようとする課題】
【０００４】
以上のような種々の理由により、カバー用の布地として丸編地が使用されることが少ないことに鑑み、本発明者は、鋭意研究を重ね、筒状の丸編地のままで、マットレスの表側を覆う表側覆い部の外面とマットレスの裏側を覆う裏側覆い部の外面との色彩を変更したり、種々の柄模様を形成したり、さらに風合いを変えたりすることができるマットレス用カバーを開発した。また、このようにマットレスの表側を覆う表側覆い部の外面とマットレスの裏側を覆う裏側覆い部の外面が相違するように構成したことにより、表側と裏側とでクッション性の異なるマットレスに使用した場合、例えば表側がクッション性がソフトであり、裏側のクッション性がハードであるマットレスの場合に、マットレス用カバーの表側覆い部の外面をソフトなイメージを付与するような色彩、模様あるいは風合いに構成し、裏側覆い部の外面をハードなイメージを付与するような色彩、模様あるいは風合いに構成すると、施療者が使用しているマットレスが表側を上にしているのか、裏側を上にしているのかを一見しただけで判断できるので便利である。
【課題を解決するための手段】
【０００５】
本発明に係るマットレス用カバーは、表側と裏側とでクッション性が異なるマットレスの表側を覆う表側覆い部と、該マットレスの裏側を覆う裏側覆い部とを有するマットレス全体を覆うためのカバーであって、該カバーは、上下が開放した無縫製の筒状丸編地にて作成され、該筒状丸編地は、色彩を異にする複数の糸を周回させて編成し、表側覆い部の外面に現出する糸と異なる色彩の糸を裏側覆い部の外面に現出するように編成したことにより、表側覆い部外面の色彩と裏側覆い部外面の色彩とが異なるように構成したことを特徴とするものである。
【０００６】
また、本発明に係るマットレス用カバーは、表側と裏側とでクッション性が異なるマットレスの表側を覆う表側覆い部と、該マットレスの裏側を覆う裏側覆い部とを有するマットレス全体を覆うためのカバーであって、該カバーは、上下が開放した無縫製の筒状丸編地にて作成され、該筒状丸編地は、色彩を異にする複数の糸を周回させて編成し、表側覆い部の外面に現出する糸の一部を外面に現出していない他の色彩の糸に配置変更するように編成したことにより、表側覆い部外面の模様と裏側覆い部外面の模様とが異なるように構成したことを特徴とするものである。
【０００７】
さらに、本発明に係るマットレス用カバーは、表側と裏側とでクッション性が異なるマットレスの表側を覆う表側覆い部と、該マットレスの裏側を覆う裏側覆い部とを有するマットレス全体を覆うためのカバーであって、該カバーは、上下が開放した無縫製の筒状丸編地にて作成され、該筒状丸編地は、表側覆い部外面と裏側覆い部外面とを異なる編組織にて編成したことにより、表側覆い部外面の風合いと裏側覆い部外面の風合いとが異なるように構成したことを特徴とするものである。
【発明の効果】
【０００８】
上記した本発明に係るマットレス用カバーであれば、筒状の丸編地のままで、マットレスの表側を覆う表側覆い部の外面とマットレスの裏側を覆う裏側覆い部の外面との色彩を変更したり、また、種々の柄模様を形成したり、さらに風合いを変えたりすることが可能となり、コストや手間を要せず、編地としての伸縮性を十分に発揮した実用効果の高いマットレス用カバーの提供が可能となる。また、表側と裏側とでクッション性の異なるマットレスに使用した場合、例えば表側がクッション性がソフトであり、裏側のクッション性がハードであるマットレスの場合に、マットレス用カバーの表側覆い部の外面をソフトなイメージを付与するような色彩、模様あるいは風合いに構成し、裏側覆い部の外面をハードなイメージを付与するような色彩、模様あるいは風合いに構成すると、施療者が使用しているマットレスが表側を上にしているのか、裏側を上にしているのかを一見しただけで判断できるので便利である。
【発明を実施するための最良の形態】
【０００９】
以下に、添付の図面に基づき、本発明に係るマットレス用カバーの好適な実施例について詳述する。
【実施例１】
【００１０】
図１は本実施例のマットレス用カバーを形成するためのカバー用丸編地を正面位置から見た斜視図であり、図２は図１に示すカバー用丸編地を、その内外が逆になるように裏返して水平に載置した状態を示す斜視図であり、図３は図２に示すカバー用丸編地の一方の開口部を閉塞した状態を示す斜視図であり、図４は図３に示すカバー用丸編地を、その内外が逆になるように裏返してマットレス用カバーとした状態を示す斜視図である。
【００１１】
各図において、Ａは、マットレス用カバーを形成するためのカバー用丸編地を示し、１０はマットレスの表側を覆う表側覆い部であり、２０はマットレスの裏側を覆う裏側覆い部である。図中の一点鎖線で示すａ、ｂは、表側覆い部１０と裏側覆い部２０との境界線である。なお、表側覆い部１０及び裏側覆い部２０は、該カバー用丸編地Ａがカバーとして完成された場合の表側及び裏側を暫定的に定めただけのもので、表側と裏側とを逆にして考えても同様であることはいうまでもない。
【００１２】
本実施例における上記カバー用丸編地Ａは、図１に示す編み上がりの編地Ａを、その内外が逆になるように裏返して図２に示す内外逆の編地Ａの状態に変更し、図２に示す編地Ａを、その状態において、図３に示すように筒状の丸編地Ａの一方の開口部を縫製により閉塞し、図３に示す縫製後の編地Ａを、再び内外が逆になるように、すなわち編地Ａの内外が編み上がりの状態と同一になるように裏返して、マットレス用カバーが作成される。なお、編み上がりの編地において、その筒状編地の一方の開口部を縫製し、内外を逆に裏返してカバーを作成してもよい。その場合は、編み上がりの編地の内面及び外面と、作成後のカバーの内面及び外面とは、逆になる。
【００１３】
したがって、本実施例に上記カバー用丸編地Ａは、図１に示す編み上がりの編地Ａの表側覆い部１０の外面１０ａ、内面１０ｂ、裏側覆い部２０の外面２０ａ、内面２０ｂは、図２及び図３における内外が逆になるように裏返した状態の編地Ａの表側覆い部１０の外面側が内面１０ｂ、内面側が外面１０ａとなり、裏側覆い部２０の外面側が内面２０ｂ、内面側が外面２０ａとなり、図４のようにマットレスカバーとしたときは、図１と同様に、表側覆い部１０の外面側は外面１０ａ、内面側は内面１０ｂとなり、裏側覆い部２０の外面側は外面２０ａ、内面側は内面２０ｂとなる。なお、必ずしも上記のように表側覆い部の外面と裏側覆い部の外面を特定して製造する必要はない。
【００１４】
本実施例におけるカバー用丸編地Ａは、ダブルニット編機において、色彩を異にする複数の糸が周回するように給糸されることによって、表側覆い部１０と裏側覆い部２０とが連続して編成される筒状丸編地にて構成される。その際、表側覆い部１０の外面１０ａに現出する糸と異なる色彩の糸を裏側覆い部２０の外面２０ａに現出するように境界線ａ、ｂで切り換えて給糸する。したがって、表側覆い部１０の外面１０ａと裏側覆い部２０の外面２０ａとの色彩が異なるカバー用丸編地Ａが形成されることになる。なお、本実施例においては、図１に示すように、表側覆い部１０の外面１０ａと裏側覆い部２０の内面２０ｂとを同一の色彩のように表し、表側覆い部１０の内面１０ｂと裏側覆い部２０の外面２０ａとを同一の色彩のように表しているが、これに限られるものではなく、表側覆い部１０の外面１０ａと裏側覆い部２０の外面２０ａとの色彩が異なるようにカバー用丸編地Ａが形成されていればよい。なお、本実施例においては、ダブルニット編機を使用してカバー用丸編地Ａを編成したが、シングルニット編機で編成してもよい。
【００１５】
上記のように構成されたカバー用丸編地Ａを、内外が逆になるように裏返して図２に示すように水平状態に載置し、その一方の開口部３０ａを、図３に示すように、オーバーロックミシンにより袋縫いして閉塞する。３１ａは袋縫いされた閉塞部を示す。なお、この場合において、他方の開口部３０ｂは開放しておき、図４に示すように、カバーを形成したときの体裁を良くするために、閉塞部３１ｂがカバーの内側に来るように、縫製後のカバー用丸編地Ａの内外が逆になるように裏返してカバーを構成する。当該カバーに対し、図４に示すように、開口部３０ｂ側からマットレスＢを挿入し、最後にカバーの開口部３０ｂを閉塞することマットレスＢに対するカバー掛けが完了する。なお、カバーの開口部３０ｂを開閉可能とするために、スライドファスナー等の接着具を付設しておいてもよい。
【００１６】
変更例として、カバー用丸編地の編成において、色彩を異にする複数の糸を周回させて編成し、表側覆い部の外面に現出する糸の一部を当該外面に現出していない他の色彩の糸に配置変更することにより、表側覆い部外面の模様と裏側覆い部外面の模様とが異なるように形成してもよい。
【００１７】
また、他の変更例として、カバー用丸編地の編成において、表側覆い部外面と裏側覆い部外面との編組織を変更することにより、さらに雅趣に富んだ丸編地や、手触り感及び質感等の風合いが異なる丸編み地を編成してもよい。
【００１８】
以上のように、本実施例に係るマットレス用カバーは、筒状の丸編地のままで、マットレスの表側を覆う表側覆い部の外面とマットレスの裏側を覆う裏側覆い部の外面との色彩を変更したり、種々の柄模様を形成することが可能となり、コストや手間を要せず、編地としての伸縮性を十分に発揮した実用効果の高いマットレス用カバーの提供が可能となる。
【図面の簡単な説明】
【００１９】
【図１】本発明に係るマットレス用カバーを形成するためのカバー用丸編地を正面位置から見た斜視図である。
【図２】図１に示すカバー用丸編地を、その内外が逆になるように裏返して水平に載置した状態を示す斜視図である。
【図３】図２に示すカバー用丸編地の一方の開口部を閉塞した状態を示す斜視図である。
【図４】図３に示すカバー用丸編地を、その内外が逆になるように裏返してマットレス用カバーとした状態を示す斜視図である。
【符号の説明】
【００２０】
Ａ・・・カバー用丸編地
Ｂ・・・マットレス
ａ・・・境界線
ｂ・・・境界線
１０・・表側覆い部
１０ａ・外面
１０ｂ・内面
２０・・裏側覆い部
２０ａ・外面
２０ｂ・内面
３０ａ・開口部
３０ｂ・開口部
３１ａ・閉塞部
【図１】
2007044170.tif 000003
【図２】
2007044170.tif 000004
【図３】
2007044170.tif 000005
【図４】
2007044170.tif 000006